(57)【要約】【解決手段】光導波路型デバイス１に防湿シート２を巻き付けて包囲する。防湿シート２は防湿性薄膜２ａと防湿性有機材料２ｂを積層したものから構成されている。例えば、防湿性薄膜２ａとしてはアルミニウム、銅、鉛うちのいずれか１種からなる金属薄膜、あるいはポリ塩化ビニルデンからなる有機材料系薄膜が使用される。また、防湿性有機材料２ｂとしては樹脂またはゴム若しくはこれらの組み合わせからなるものが使用される。【効果】簡便な構造で防湿特性の優れた光導波路型デバイスを提供することができる。また、環境特性の他に機械特性においても優れた信頼性を確保することができる。【選択図】        図１
2004334027.tif 000002
【特許請求の範囲】
【請求項１】
光導波路型デバイスの防湿構造であって、防湿性薄膜と防湿性有機材料を積層した防湿シートを前記防湿性有機材料が前記光導波路型デバイス側となるように前記光導波路型デバイスに巻き付け包囲したことを特徴とする光導波路型デバイスの防湿構造。
【請求項２】
前記防湿性薄膜は金属薄膜であることを特徴とする請求項１記載の光導波路型デバイスの防湿構造。
【請求項３】
前記金属製薄膜はアルミニウム、銅、鉛うちのいずれか１種からなることを特徴とする請求項２記載の光導波路型デバイスの防湿構造。
【請求項４】
前記防湿性薄膜は有機材料系薄膜であることを特徴とする請求項１記載の光導波路型デバイスの防湿構造。
【請求項５】
前記有機材料系薄膜はポリ塩化ビニルデンであることを特徴とする請求項４記載の光導波路型デバイスの防湿構造。
【請求項６】
前記防湿性有機材料は樹脂またはゴム若しくはこれらの組み合わせからなることを特徴とする請求項１記載の光導波路型デバイスの防湿構造。
【請求項７】
前記防湿性有機材料はポリブテン系、ポリイソブチレン系、ポリ塩化ビニル系、ポリアクリロニトリル系、エポキシ系、ポリメチルメタアクリレート系、シリコーン系、アクリレート系、ポリエチレン系、ポリエステル系、ナイロン系、ブタジエン・メチルメタアクリレート系、ポリスチレン系、フッ素系の各樹脂若しくは塩酸ゴム系、スチレン・ブタジエンゴム系、シリコーンゴム系、塩素化ブチルゴム系、ニトリルゴム系、天然ゴム系、多硫化ゴム系、ブチルゴム系、ガッタパーチャゴム系、クロロプレンゴム系、ポリイソプレンゴム系、ポリブタジエンゴム系の各ゴムからなることを特徴とする請求項６記載の光導波路型デバイスの防湿構造。
【発明の詳細な説明】
【０００１】
【発明の属する技術分野】
本発明は、防湿特性に優れた光導波路型デバイスの構造に関する。
【０００２】
【従来の技術】
近年、ＦＴＴＨ（Ｆｉｂｅｒ  Ｔｏ  Ｔｈｅ  Ｈｏｍｅ）の導入が始まり各家庭での高速インターネットの利用が急速に普及してきている。このような状況において通信ネットワークをますます充実させる必要性が高まり、高信頼性、低コスト、小型の光導波路型デバイスが要求されてきている。
光導波路型デバイスには伝送特性のほかに高信頼性などの種々の特性が要求される。なかでも防湿特性は光導波路型デバイスの経年的劣化を防ぐ意味で重要である。
【０００３】
従来、光導波路型デバイスの防湿特性を改善するには、導波路を実装するケース自体を気密化する方法や（例えば、特許文献１参照）防湿性樹脂を用いて信頼性を保証する方法（例えば、特許文献２参照）が提案されている。その他接着剤を耐湿性のものにしたり接着面を特殊処理して信頼性を保証したりする方法もある。
【０００４】
【特許文献１】
特開平８−５０２１８号公報
【特許文献２】
特開平８−１９００２９号公報
【０００５】
【発明が解決しようとする課題】
ところで、上記のような従来の技術には、次のような解決すべき課題があった。
即ち、特許文献１に開示されているような導波路を実装するケース自体を気密化する方法では、パッケージ構造が複雑になり、製造の際の作業性が悪く、高コストになるという問題点があった。また、パッケージ自体に気密構造を付加させるために小型化が難しいという問題点もあった。
【０００６】
一方、特許文献２に開示されているような防湿性樹脂を用いる方法では、特殊な樹脂を用いるためにコストが高くなるという問題点があり、耐湿性の接着剤を用いたり、接着面を特殊処理したりする方法でもやはりコストが高くなるという問題点があった。
【０００７】
本発明は光導波路型デバイスに特別なパッケージングを施すことなく、簡便に防湿特性を向上できる光導波路型デバイスの防湿構造を提供するものである。
【０００８】
【課題を解決するための手段】
本発明は以上の点を解決するため次の構成を採用する。
【０００９】
〈構成１〉
光導波路型デバイスの防湿構造であって、防湿性薄膜と防湿性有機材料を積層した防湿シートを前記防湿性有機材料が前記光導波路型デバイス側となるように前記光導波路型デバイスに巻き付け包囲したことを特徴とする光導波路型デバイスの防湿構造。
【００１０】
〈構成２〉
前記防湿性薄膜は金属薄膜であることを特徴とする構成１記載の光導波路型デバイスの防湿構造。
【００１１】
〈構成３〉
前記金属製薄膜はアルミニウム、銅、鉛うちのいずれか１種からなることを特徴とする構成２記載の光導波路型デバイスの防湿構造。
【００１２】
〈構成４〉
前記防湿性薄膜は有機材料系薄膜であることを特徴とする構成１記載の光導波路型デバイスの防湿構造。
【００１３】
〈構成５〉
前記有機材料系薄膜はポリ塩化ビニルデンであることを特徴とする構成４記載の光導波路型デバイスの防湿構造。
【００１４】
〈構成６〉
前記防湿性有機材料は樹脂またはゴム若しくはこれらの組み合わせからなることを特徴とする構成１記載の光導波路型デバイスの防湿構造。
【００１５】
〈構成７〉
前記防湿性有機材料はポリブテン系、ポリイソブチレン系、ポリ塩化ビニル系、ポリアクリロニトリル系、エポキシ系、ポリメチルメタアクリレート系、シリコーン系、アクリレート系、ポリエチレン系、ポリエステル系、ナイロン系、ブタジエン・メチルメタアクリレート系、ポリスチレン系、フッ素系の各樹脂若しくは塩酸ゴム系、スチレン・ブタジエンゴム系、シリコーンゴム系、塩素化ブチルゴム系、ニトリルゴム系、天然ゴム系、多硫化ゴム系、ブチルゴム系、ガッタパーチャゴム系、クロロプレンゴム系、ポリイソプレンゴム系、ポリブタジエンゴム系の各ゴムからなることを特徴とする構成６記載の光導波路型デバイスの防湿構造。
【００１６】
【発明の実施の形態】
以下、本発明の実施の形態について具体例を用いて説明する。
【００１７】
図１は本発明の光導波路型デバイスの防湿構造の一実施の形態を表した斜視図であり、光導波路型デバイスを防湿シートで巻き付け包囲する状況を表した図である。図１において、１は例えば１本の光導波路と複数本の光導波路が接続され、光信号が分波されたり合波されたりする光分岐導波路（スプリッタ）のような光導波路型デバイスを表している。この光導波路型デバイスのパッケージは特に防湿対策のような特別な処置を施したものではなく、通常用いられるデバイスである。
【００１８】
この光導波路型デバイス１を防湿シート２で矢印のように複数層にわたって巻き付け包囲する。防湿シート２は波線の部分で示したように防湿性薄膜２ａと防湿性有機材料２ｂを積層した構造となっている。そして、防湿シート２は防湿性有機材料２ｂの側が光導波路型デバイス１に接触するように、即ち防湿性有機材料２ｂが内側に、防湿性薄膜２ａが外側になるように巻き付ける。なお、光導波路型デバイス１には光ファイバ３、４が接続されており、これらの光ファイバ３、４は接着剤５により光導波路型デバイス１に固定されている。
【００１９】
防湿シート２に用いられる防湿性薄膜２ａは水分を通さないか極めて通し難いものであれば特に限定されるものではないが、例えばアルミニウムや銅、鉛等の金属製薄膜が好ましい。また、例えばポリ塩化ビニルデンのような防湿性有機材料系薄膜からなるものであっても良い。
【００２０】
次に、防湿シート２に用いられる防湿性有機材料２ｂは防湿効果のある材料ならば特に限定されるものではないが、例えば、ポリブテン系、ポリイソブチレン系、ポリ塩化ビニル系、ポリアクリロニトリル系、エポキシ系、ポリメチルメタアクリレート系、シリコーン系、アクリレート系、ポリエチレン系、ポリエステル系、ナイロン系、ブタジエン・メチルメタアクリレート系、ポリスチレン系、フッ素系の各樹脂若しくは塩酸ゴム系、スチレン・ブタジエンゴム系、シリコーンゴム系、塩素化ブチルゴム系、ニトリルゴム系、天然ゴム系、多硫化ゴム系、ブチルゴム系、ガッタパーチャゴム系、クロロプレンゴム系、ポリイソプレンゴム系、ポリブタジエンゴム系の各ゴムなどが好ましい。
【００２１】
図２は防湿シート２を光導波路型デバイス１に巻き付け包囲した状態を表した図である。図２（ａ）は本発明の光導波路型デバイスを側面から見た様子を表し、図２（ｂ）は図２（ａ）のＡ−Ａ´における矢印方向から見た横断面図である。このように防湿性薄膜と防湿性有機材料とを積層させた防湿シート２を光導波路型デバイス１の全長にわたり巻き付けて包囲すると、もともと防湿性薄膜は耐湿性がある上にさらに防湿効果のある有機材料により水分の侵入を防ぐことができるので特別な耐湿構造や高価な防湿性樹脂を用いる必要がない。また、作業性も簡便で安価なコストで製造することができる。
【００２２】
なお、本発明は防湿特性に特に優れた光導波路型デバイスの提供を可能としているが、柔らかい防湿性有機材料を使用しているので例えばアルミニウムなどの金属製薄膜を使用した場合には光導波路型デバイスの各部材の線膨張係数の違いをキャンセルできたり、外部からの傷の防止、振動や衝撃の防止なども可能であり、環境特性の他に機械特性においても信頼性の高い光導波路型デバイスを提供することができる。
【００２３】
【発明の効果】
上記したように本発明によれば、防湿性薄膜と防湿性有機材料を積層した防湿シートを光導波路型デバイスに巻き付けて包囲したので簡便な構造で防湿特性の優れた光導波路型デバイスを提供することができる。また、本発明の構造によれば環境特性の他に機械特性においても優れた信頼性を確保することができる。
【図面の簡単な説明】
【図１】本発明の一実施の形態を表した斜視図である。
【図２】本発明の一実施の形態を表した図である。
【図１】
2004334027.tif 000003
【図２】
2004334027.tif 000004